(57)【要約】【課題】  取付面に影が生じにくい照明器具を提供する。【解決手段】  光源を点灯させる点灯手段が設けられた器具本体と、器具本体と光源とをそれぞれ収納して壁面等の取付面Ｗに取り付けられるハウジング１とを備える。ハウジング１は、透光性を有する材料からなり器具本体と光源とがそれぞれ収納される収納凹部を有して収納凹部の開口を取付面Ｗから離れる方向へ向けて取付面に固定されるボディ２と、ボディ２に取り付けられて収納凹部を覆うカバー３とを有する。取付面Ｗに固定されるボディ２が透光性を有する材料で形成されていることにより、取付面Ｗに影が生じにくい。【選択図】図１
2007227244.tif 000002
【特許請求の範囲】
【請求項１】
光源を点灯させる点灯手段が設けられた器具本体と、器具本体と光源とをそれぞれ収納するハウジングとを備え、
ハウジングは、透光性を有する材料からなり器具本体と光源とがそれぞれ収納される収納凹部を有して収納凹部の開口を取付面から離れる方向へ向けて取付面に固定されるボディと、ボディに取り付けられて収納凹部を覆うカバーとを有することを特徴とする照明器具。
【請求項２】
収納凹部の内面の少なくとも一部を、取付面に平行な断面における収納凹部の断面形状を取付面から離れた位置ほど大きくする方向に傾斜させたことを特徴とする請求項１記載の照明器具。
【請求項３】
器具本体は、器具本体とボディとの少なくとも一方に設けられた取付手段により、ボディに対して着脱自在に取り付けられることを特徴とする請求項１又は請求項２記載の照明器具。
【請求項４】
カバーは扁平な形状とされていることを特徴とする請求項１〜３のいずれか記載の照明器具。
【発明の詳細な説明】
【技術分野】
【０００１】
本発明は、照明器具に関するものである。
【背景技術】
【０００２】
従来から、壁面等の取付面に固定される照明器具として、図９に示すものが提供されている（例えば、特許文献１参照）。この照明器具は、例えば電球型の蛍光灯からなる光源Ｌａが取り付けられるソケット５１が設けられて取付面（図示せず）に固定される器具本体５と、器具本体５に結合して光源Ｌａを覆うハウジング６とを備える。以下、上下は図９を基準とし、図９の左上−右下方向を左右方向と呼び、図９の左下−右上方向を前後方向と呼ぶ。
【０００３】
ハウジング６は、後面が開放された直方体形状となっており、透光性を有さない材料からなり直方体形状の辺を構成する枠体６１と、透光性を有する材料からなり枠体６１に嵌め込まれて直方体形状の後面を除く各面を構成する透光体６２とで構成されている。すなわち、ハウジング６は行灯を模したものであって、枠体６１は行灯の木枠を模しており、透光体６２は木枠に貼られた和紙を模している。
【０００４】
器具本体５は、例えば金属板のような透光性を有さない材料からなる取付板５０に、光源Ｌａを点灯させる点灯回路を構成する回路部品５３やソケット５１が取り付けられてなる。取付板５０は、厚さ方向を前後方向へ向けた長方形状の平板であって前面にソケットが設けられた本体部５０ａと、本体部５０ａの外周から前方へ突設された枠状の周壁部５０ｂとを有する。周壁部５０ｂの下端からは結合突起５０ｃが下方へ突設され、周壁部５０ｂの上端には結合穴（図示せず）が上下に貫設されている。ハウジング６において枠体６１の後端の上下の辺を構成する各部位にはそれぞれ結合穴６１ａ，６１ｂが上下に貫設されており、枠体６１の下側の結合穴６１ａに取付板５０の結合突起５０ｃが挿入されるとともに、枠体の上側の結合穴６１ｂと取付板５０の周壁部５０ｂの結合穴とにピン７が挿通されることにより、ハウジング６は器具本体５に固定されている。
【０００５】
上記従来例は、光源Ｌａの光をハウジング６の上下左右の面から出射させて取付面に照射する間接照明としての効果を有するものである。
【特許文献１】特開２００３−６８１２７号公報
【発明の開示】
【発明が解決しようとする課題】
【０００６】
しかし、上記従来例においては、ハウジング６の枠体６１の後端部や、器具本体５とハウジング６とを結合させるために取付板５０に設けられた周壁部５０ｂにより、取付面に影が生じており、光源Ｌａの光の利用効率が低下するとともに見栄えが悪くなっていた。
【０００７】
本発明は上記事由に鑑みて為されたものであり、その目的は、取付面に影が生じにくい照明器具を提供することにある。
【課題を解決するための手段】
【０００８】
請求項１の発明は、光源を点灯させる点灯手段が設けられた器具本体と、器具本体と光源とをそれぞれ収納するハウジングとを備え、ハウジングは、透光性を有する材料からなり器具本体と光源とがそれぞれ収納される収納凹部を有して収納凹部の開口を取付面から離れる方向へ向けて取付面に固定されるボディと、ボディに取り付けられて収納凹部を覆うカバーとを有することを特徴とする。
【０００９】
この発明によれば、取付面に固定されるボディが透光性を有する材料で形成されていることにより、取付面に影が生じにくい。
【００１０】
請求項２の発明は、請求項１の発明において、収納凹部の内面の少なくとも一部を、取付面に平行な断面における収納凹部の断面形状を取付面から離れた位置ほど大きくする方向に傾斜させたことを特徴とする。
【００１１】
この発明によれば、収納凹部の内面を傾斜させない場合に比べ、傾斜させた収納凹部の内面に対する光源の光の入射角が小さくなることにより、光源の光がボディに入射しやすくなるから、取付面に照射される光の量が増す。
【００１２】
請求項３の発明は、請求項１又は請求項２の発明において、器具本体は、器具本体とボディとの少なくとも一方に設けられた取付手段により、ボディに対して着脱自在に取り付けられていることを特徴とする。
【００１３】
この発明によれば、器具本体とハウジングとの組み合わせを容易に変更可能となる。
【００１４】
請求項４の発明は、請求項１〜３のいずれかの発明において、カバーは扁平な形状とされていることを特徴とする。
【００１５】
この発明によれば、複数個のカバーを厚さ方向に重ねて保管することができるから、カバーの管理が容易となる。
【発明の効果】
【００１６】
本発明によれば、ハウジングを構成する部品のうち、取付面に固定されるボディが透光性を有する材料で形成されていることにより、取付面に影が生じにくい。
【発明を実施するための最良の形態】
【００１７】
以下、本発明を実施するための最良の形態について、図面を参照しながら説明する。
【００１８】
本実施形態は、図１（ａ）〜（ｃ）に示すように、例えばアクリル樹脂のような透光性を有する材料からなり光源Ｌａ（図２参照）が収納される収納凹部２０が設けられたボディ２と、ボディ２に機械的に結合して収納凹部２０を閉塞するカバー３とからなるハウジング１を備える。光源Ｌａは、例えばいわゆるＰ形（２本管形）の蛍光灯からなる。以下、上下左右は図１（ａ）を基準とし、図１（ｂ）の左右方向を前後方向と呼ぶ。
【００１９】
詳しく説明すると、ボディ２は、上下の底面が長辺を前方へ向けた台形状であって前面が収納凹部２０として開放された角柱形状である。また、ボディ２は乳白色であって光源Ｌａの光を拡散させる。ボディ２は、例えばねじ止めなどの周知の手段によって取付面Ｗに固定される。
【００２０】
収納凹部２０には、図２に示すように光源Ｌａを点灯させる点灯回路が設けられた器具本体４が収納されている。器具本体４は、光源Ｌａが取り付けられるソケット４１と、点灯回路を構成する回路部品とソケット４１とがそれぞれ取り付けられた取付板４０とを有する。ソケット４１及び点灯回路はそれぞれ周知の技術で実現可能であるので、詳細な図示及び説明は省略する。
【００２１】
収納凹部２０の底面と取付板４０とには、それぞれ点灯回路に電源を供給するための電線（図示せず）が挿通される電線挿通穴２０ａ，４０ａが前後に貫設されている。また、図３に示すように、収納凹部２０の底面において長方形の頂点となる４箇所には、それぞれねじ穴が前面（図３における上面）に開口した円筒形状の取付部２０ｂが前方へ突設されている。取付板４０において対応する位置にはそれぞれねじＳが挿通されるねじ挿通穴４０ｂが設けられており、それぞれ取付板４０のねじ挿通穴４０ｂに挿通されてボディ２の取付部２０ｂに螺合する４本のねじＳにより、器具本体４はボディ２にねじ止めされている。すなわち、取付板４０のねじ挿通穴４０ｂとボディ２の取付部２０ｂとがそれぞれ請求項における取付手段である。また、器具本体４がボディ２に取り付けられた状態では、取付板４０の電線挿通穴４０ａとボディ２の電線挿通穴２０ａとは連通する。
【００２２】
また、取付板４０の上端にはソケット保持部４０ｃが前方へ突設され、ソケット４１はソケット保持部４０ｃに固定されており、光源Ｌａは収納凹部２０の底面から離れた位置に支持される。
【００２３】
ここで、器具本体４は、図４（ａ）に示すようにＵ字形状の蛍光灯からなる光源Ｌａが取り付けられるソケット４１を１個有するものに限られず、図４（ｂ）に示すように電球型の白熱灯や蛍光灯といったランプからなる光源Ｌａが取り付けられるソケット４１を有するものであってもよいし、図４（ｃ）に示すようにソケット４１を複数個（図では２個）有するものであってもよい。さらに、焦電センサ等を用いた周知の人感センサを器具本体４に追加してもよい。本実施形態では、器具本体４はボディ２に対してねじ止めによって固定されているだけであるから、上記のような各種の器具本体４に対してボディ２やカバー３を共用とすることができ、器具本体４の交換も容易である。
【００２４】
カバー３は、例えばアクリル樹脂のような透光性を有する材料からなり光源Ｌａの前側に位置して光源Ｌａの光を通過させる窓体３１と、例えば不透明な合成樹脂成型品からなり前方から見て窓体３１を囲む矩形枠状であってボディ２に結合する枠体３２とで構成され、全体として、上下左右の寸法に対して前後の寸法が小さい扁平な形状となっている。窓体３１は例えば乳白色であって光源Ｌａの光を拡散させる。また、窓体３１の一部は、枠体３２の前面よりも前方へ突出している。窓体３１を枠体３２に結合させる方法や、カバー３をボディ２に結合させる方法としては、嵌合や係合など周知の手段を用いることができる。
【００２５】
上記構成によれば、光源Ｌａを収納するハウジング１を構成する部材のうち取付面Ｗに固定される部材であるボディ２の材料として透光性を有する材料を用いたことにより、従来例に比べて取付面Ｗに影が生じにくい。また、ボディ２の左右の側面をそれぞれ前方へ向かって左右へ広がるように傾斜させたことにより、傾斜させない場合に比べ、光源Ｌａの光のうち取付面Ｗの方向へ出射された光が収納凹部２０の左右の内側面に入射する際の入射角が小さくなり該内側面で反射されにくくなるから、ボディ２を透過して取付面Ｗに照射される光を増加させることができる。
【００２６】
ここで、本実施形態は、図５（ａ）に示すようにカバー３が前方から見て幅の広い長方形状の窓体３１を有するから、図５（ｂ）に矢印で示すように取付面Ｗ向きのみならず前方の広範囲にも光源Ｌａの光が出射される。すなわち、本実施形態は、間接照明としての効果と直接照明としての効果とを兼ね備えている。なお、図５（ｂ）において、光源Ｌａを起点とする各矢印は、それぞれ光源Ｌａから放射された光の経路を示すものであり、これは以下の図６（ｂ）及び図７（ｂ）でも同様である。
【００２７】
これに対し、図６（ａ）に示すように透光性を有さない材料によってカバー３全体を構成するとともに、カバー３の後面に対して例えば銀の蒸着や白色の塗装などを施して光源Ｌａの光を反射するようにしてもよい。この構成を採用すれば、図６（ｂ）に示すようにカバー３の後面で反射されて取付面Ｗに照射される光が増加することにより、間接照明としての効果が増す。この場合、前方から見た外観は主にカバー３によって構成されるので、例えばカバー３の材料として木材や金属や陶器といった種々の材料を用いることにより、それらの材料に応じた多様な外観を呈することができる。
【００２８】
さらに、図７（ａ）（ｂ）に示すように枠体３２において窓体３１を露出させる開口を上下に長いスリット状とすれば、図６（ａ）（ｂ）の構成において光源Ｌａに向けて反射されていた光を有効利用することができるほか、図５（ａ）の構成や図６（ａ）の構成とはまた異なった視覚的効果を得ることができる。
【００２９】
ここで、本実施形態のカバー３は扁平な形状となっていることにより、使用者が上記のような各種のカバー３を保管するときや、製造工程においてカバー３を纏めて保管するときには、図８に示すように複数個のカバー３を互いに重ねて保管することができるから、カバー３を例えば従来例のハウジング６のような形状とする場合に比べて場所をとらない。
【図面の簡単な説明】
【００３０】
【図１】本発明の実施形態を示す図であり、（ａ）は正面図、（ｂ）は右側面図、（ｃ）は平面図である。
【図２】同上においてカバーを取り外した状態を示す斜視図である。
【図３】同上のボディを示す斜視図である。
【図４】（ａ）は同上の器具本体を示す斜視図であり、（ｂ）（ｃ）はそれぞれ器具本体の別の例を示す斜視図である。
【図５】（ａ）は同上のカバーを示す斜視図であり、（ｂ）は同上の配光を示す説明図である。
【図６】（ａ）は同上の別の形態のカバーを示す斜視図であり、（ｂ）はその配光を示す説明図である。
【図７】（ａ）は同上のさらに別の形態のカバーを示す斜視図であり、（ｂ）はその配光を示す説明図である。
【図８】同上のカバーを複数個重ねた状態を示す斜視図である。
【図９】従来例を示す分解斜視図である。
【符号の説明】
【００３１】
１  ハウジング
２  ボディ
３  カバー
４  器具本体
Ｌａ  光源
Ｗ  取付面
【図１】
2007227244.tif 000003
【図２】
2007227244.tif 000004
【図３】
2007227244.tif 000005
【図４】
2007227244.tif 000006
【図５】
2007227244.tif 000007
【図６】
2007227244.tif 000008
【図７】
2007227244.tif 000009
【図８】
2007227244.tif 000010
【図９】
2007227244.tif 000011